(57)【特許請求の範囲】
【請求項１】
複数のデッキ材を平行に配置し、両側のデッキ材を根太又は下地材に固定するための固定具であって、
固定具は両側のデッキ材の間に挿入するベース部と、
ベース部の少なくとも一方の側面から突出した差し込み部と、
ベース部に沿って上下方向に貫通した、ねじ頭で押え込むねじ挿入孔とを有し、
ベース部の下端は、一方のデッキ材の底面に沿って側面下部から外側に延在した被押え部を押えるための押え部になっていて、
前記差し込み部は他方のデッキ材の側面に設けた凹部又は溝部に差し込むものであることを特徴とするデッキ材の固定具。
【請求項２】
前記差し込み部は、先端部付近に、デッキ部材に設けた凹部又は溝部に係止する係止突部を有することを特徴とする請求項１記載のデッキ材の固定具。
【請求項３】
複数のデッキ材を平行に配置し、両側のデッキ材を根太又は下地材に固定具を用いて固定する固定構造であって、
固定具は、両側のデッキ材の間に挿入するベース部と、
ベース部の少なくとも一方の側面から突出した差し込み部と、
ベース部に沿って上下方向に貫通したねじ挿入孔とを有し、
デッキ材は、一方の側面下部に底面に沿って外側に延在した被押え部を有するとともに他方の側面は横方向にへこませた凹部又は溝部と、前記被押え部の呑み込み部とを有し、
両側のデッキ材を前記一方の被押え部と他方の凹部又は溝部が対向するように配置し、
前記固定具の差し込み部を前記デッキ材の凹部又は溝部に差し込み、押え部にてもう一方のデッキ材の被押え部を押さえるようにして、固定具のねじ挿入孔からねじの先を挿入し、且つデッキ材の押え部を貫通して根太又は下地材に固定することを特徴とするデッキ材の固定構造。
【発明の詳細な説明】
【技術分野】
【０００１】
本発明は、建築物に設けられているテラスやバルコニー等の床面に施工するデッキ材の固定構造及びそれに適した固定具に関する。
【背景技術】
【０００２】
建築物の庭等に設けられたテラスに複数のデッキ材を敷設する場合や、バルコニー、ベランダ等に複数のデッキ材を敷設する場合に、従来はデッキ材を根太に固定するために両側に水平方向の押え片を有する断面略Ｕ字形の金具が用いられていた（特許文献１，２）。
しかし、このような金具を用いて、デッキ材を敷設後に何らかの理由により、一部のデッキ材を取り替える必要が生じた場合に、その部分のデッキ材だけを取り外すのが困難であり、床の端の部分からデッキ材を一担取り外さなければならず作業性が悪かった。
【０００３】
そこで、特許文献３にはデッキ完成後に任意のデッキ材の取り外しが可能したものや、特許文献４にはデッキ材を仮止めできる固定装置を開示する。
【０００４】
しかし、従来の上記いずれの固定構造においても隣り合うデッキ材の間に隙間があり排水性に優れるものの、この隙間にコイン等の小物が入り込むとそのまま下に落下したり、その隙間からデッキ材の下側の根太や下地材等が見えるので見映えが悪いという問題があった。
さらには、金具や固定装置でデッキ材を押え付けているだけの構造なので、人の歩行等による負荷により、デッキ材の押え付け部が少しずつ移動してしまい、最悪の場合には根太から外れてしまう恐れもあった。
【先行技術文献】
【特許文献】
【０００５】
【特許文献１】特開２００５−４２５４２号公報
【特許文献２】特開２００７−２２４６６６号公報
【特許文献３】特開２００６−１９３９７４号公報
【特許文献４】特開２００８−３１７５７号公報
【発明の概要】
【発明が解決しようとする課題】
【０００６】
本発明は、デッキ材の固定作業が容易で複数のデッキ材敷設完成後にあって、任意のデッキ材の取り替えが可能でありながら、隣り合うデッキ材の間に隙間があることから生じる不具合を解決したデッキ材の固定具及びこれを用いた固定構造の提供を目的とする。
【課題を解決するための手段】
【０００７】
本発明に係るデッキ材の固定具は、複数のデッキ材を平行に配置し、両側のデッキ材を根太又は下地材に固定するための固定具であって、固定具は両側のデッキ材の間に挿入するベース部と、ベース部の少なくとも一方の側面から突出した差し込み部と、ベース部に沿って上下方向に貫通した、ねじ頭で押え込むねじ挿入孔とを有し、ベース部の下端は、一方のデッキ材の底面に沿って側面下部から外側に延在した被押え部を押えるための押え部になっていて、前記差し込み部は他方のデッキ材の側面に設けた凹部又は溝部に差し込むものであることを特徴とする。
本発明にてデッキ材とは、テラスやバルコニー等の床面に複数枚、敷設するものであれば材質や形状等を問わない。
また、固定具で固定する両側のデッキ材が概ね平行であればよく、床面に敷設するデッキ材の全てが一方向に平行である必要はない。
【０００８】
ここで、前記差し込み部は、先端部付近に、デッキ部材に設けた凹部又は溝部に係止する係止突部を有するようにしてもよい。
このようにすると、両側のデッキ材間の位置決めが容易で精度高く固定できる。
【０００９】
このような固定具を用いたことにより本発明に係るデッキ材の固定構造は、複数のデッキ材を平行に配置し、両側のデッキ材を根太又は下地材に固定具を用いて固定する固定構造であって、固定具は、両側のデッキ材の間に挿入するベース部と、ベース部の少なくとも一方の側面から突出した差し込み部と、ベース部に沿って上下方向に貫通したねじ挿入孔とを有し、デッキ材は、一方の側面下部に底面に沿って外側に延在した被押え部を有するとともに他方の側面は横方向にへこませた凹部又は溝部と、前記被押え部の呑み込み部とを有し、両側のデッキ材を前記一方の被押え部と他方の凹部又は溝部が対向するように配置し、前記固定具の差し込み部を前記デッキ材の凹部又は溝部に差し込み、押え部にてもう一方のデッキ材の被押え部を押さえるようにして、固定具のねじ挿入孔からねじの先を挿入し、且つデッキ材の押え部を貫通して根太又は下地材に固定することを特徴とする。
【発明の効果】
【００１０】
本発明に係る固定具にあっては、両側のデッキ材の側面間に挿入する固定具のベース部の側面から突出した差し込みを片方のデッキ材の側面に設けた凹部又は溝部に差し込み、もう片方のデッキ材に設けた底面から外側に延在した被押え部をこの固定具のベース部の下端の押え部で押え付けるようにして、木ねじ等の固定部材の先端部を、固定具に設けたねじ挿入孔からデッキ材の被押え部を貫通させ固定するだけで簡単に複数のデッキ材を根太や下地材に固定できる。
【００１１】
また、両側のデッキ材の間の固定具を取り付けていない部分は、固定具のベース部の横方向厚みに相当する隙間が形成されるので排水性が確保されつつ、片方のデッキ材の底面から外側に向けて延在した被押え部の先がもう一方のデッキ材の被押え部の呑み込み部に入り込んでいるので、この隙間にコイン等の小物が入り込んでも、この被押え部にてそれ以上、下に落下するのを防止できる。
また、この被押え部が存在することで根太や下地材が見えなくなり見映えがよい。
さらには、固定部材の木ねじ等をゆるめることで完成後にデッキ材の一部を取り替えることができる。
また、固定部材の先がデッキ材の被押え部を貫通しているのでデッキ材が人の歩行等によりずれることもない。
【図面の簡単な説明】
【００１２】
【図１】本発明に係るデッキ材の固定具の例を示す。
【図２】本発明に係るデッキ材の固定構造例を示す。
【図３】デッキ材の固定手順を示す。
【図４】固定具及び固定構造の他の実施例を示す。
【発明を実施するための最良の形態】
【００１３】
本発明に係るデッキ材の固定具１０の実施例を図１に示す。
図２，３は固定具１０を用いてデッキ材１，１を根太３又は下地材に固定する例を示す。
固定具１０は平行に敷設する両側のデッキ材１，１の間に挿入するベース部１１と、このベース部１１の側面から略水平方向に突出した差し込み部１３を有する。
固定具１０は材質に制限はないが本実施例では樹脂成形品を用いた。
ベース部１１の横方向の厚みは図２に示すように両側のデッキ材間の間隔を定める役割を有する。
また、ベース部１１の下端部は一方のデッキ１に設けた被押え部１ａを押さえ込むための押え部１２になっている。
ベース部１１には、上下方向に貫通したねじ挿入孔１４を有し、このねじ挿入孔１４は木ねじ等の固定用ねじ部材（固定部材）の軸は挿通するが頭部は挿通しない孔径になっている。
ベース部１１の少なくとも一方の側面から略水平方向に突出させた差し込み部１３の先端付近には上方に向けて突出した係止突部１３ａを有する。
この係止突部１３ａとベース部１１との間に形成された溝部１３ｂに後述するデッキ部材１の側面リブ１ｅが入り込むようになっている。
なお、本発明に係る固定具１０はベース部１１とその少なくとも一方の側面から突出した差し込み部１３を有する限りにおいて外形形状に制限はない。
【００１４】
次に、本発明に係る固定構造に係るデッキ材１について説明する。
デッキ材１は根太３等に載置する底面Ｌと上面Ｕ及び左右の側面Ｈ１，Ｈ２とを有する。
デッキ材１は、木製、樹脂製、疑似木材等材質を問わない。
また、上面Ｕは外観となるので条状溝あるいは凹凸等、各種意匠性を有していてもよい。
本実施例は、軽量化を目的に複数のリブＤからなる中空断面形状となっている。
デッキ材１の一方の側面Ｈ１は、側面リブ１ｇの下部から底面Ｌに沿って外側に延在した突片状の被押え部１ａとなっている。
この押え部１ａは、固定具のベース部１１の下端の押え部１２にて押えられる部分であるとともにデッキ材間の隙間ｄから根太や下地材が見えないようにしたり、隙間ｄに落下したコイン等の小物を受けとめる役割を有する。
従って、この被押え部１ａの突出寸法ｔは固定具１０のベース部の横方向厚みよりも大きい方が好ましい。
【００１５】
デッキ材１のもう片方の側面Ｈ２は、側面のリブをスリット状に切り欠いて上側の側面リブ１ｅと下面の側面リブ１ｆとで固定具１０に形成した差し込み部１３を差し込むための溝部１ｃを形成する。
なお、溝部１ｃの内側には溝部１ｃの開口寸法よりも少なくとも上方に大きい差し込み凹部１ｄを有する。
下側の側面リブ１ｆは底面Ｌに向けて傾斜していて、このリブ１ｆの下側に他方のデッキ材の被押え部１ａを配置させるための呑み込み部１ｂを形成する。
この呑み込み部１ｂは、下側の側面リブ１ｆと被押え部１ａとの間に所定の隙間（空間）を有し、この部分から雨水が下に流れ込むようになっている。
【００１６】
図３に基づいてデッキ材の固定手順例を示す。
デッキ材１の側面Ｈ２に設けた溝部１ｃに固定具１０の差し込み部１３を差し込む。
ここで、溝部１ｃの間口寸法（上下寸法）は差し込み部１３を斜めに差し込みできるように差し込み部の厚みより大きく、差し込んだ後に、溝部１ｃから落下しないように、差し込み部１３の先端付近に上方に向けて突出した係止突部１３ａを設けた。
次に、他のデッキ材１の側面Ｈ１の被押え部１ａを固定具のベース部１１の下側に廻り込ませるようにして、このデッキ材１を配置する。
両側のデッキ材１，１にて固定具のベース部１１を挟み込むように位置合せをし、木ねじ２等の固定部材にて固定する。
また、デッキ材の敷設完了後に一部のデッキ材を交換する必要が生じた場合には、木ねじ２をゆるめ、あるいは、一担取り外すことで任意のデッキ材を取り替えることができる。
【００１７】
図４に本発明に係る固定具１０の変形例を示す。
ベース部１１の一方の差し込み部１３とは、反対側にも差し込み部１５を形成した例になっていて、この差し込み部１５をデッキ材１の側面Ｈ１に形成した上側側面リブ１ｈと下側側面リブ１ｉとで形成した溝部に差し込むようにすると、この差し込み部１５と、被押え部１ａを押え込む押え部１２との両方でデッキ材１を固定することができる。
【符号の説明】
【００１８】
１        デッキ材
１０      固定具
１１      ベース部
１２      押え部
１３      差し込み部
１３ａ    係止突部
１４      ねじ挿入孔
Ｄ        リブ
Ｈ１       側面
Ｌ        底面
Ｕ        上面
【図１】
0005441963.tif 000002
【図２】
0005441963.tif 000003
【図３】
0005441963.tif 000004
【図４】
0005441963.tif 000005